(57)【要約】【課題】本発明の目的は、広告面を、６面以上設けることができるうちわを提供することにある。【解決手段】うちわシート１０と、保持手段１１を備えるうちわ１において、うちわシート１０と綴じシート２０を綴じるステッチ綴じ、無線綴じ、コイル綴じの何れかの綴じ部２１を備えて冊子２を構成することを特徴とする。【選択図】図１
2017086723.tif 000002
【特許請求の範囲】
【請求項１】
ベースシート（１０）に、指による保持手段を提供する穴（１１）を備えるうちわ（１）において、
前記ベースシート（１０）と綴じシート（２０）を綴じる綴じ部（２１）を備えて冊子（２）を構成することを特徴とするうちわ（１）。
【請求項２】
折畳んだベースシート（１０）に、指による保持手段を提供する穴（１１）を備えるうちわ（１）において、
前記ベースシート（１０）の折部（２１）を上部に、前記穴（１１）を下部に配置することを特徴とするうちわ（１）。
【発明の詳細な説明】
【技術分野】
【０００１】
本発明は、冊子うちわに関する。
【背景技術】
【０００２】
従来、うちわが知られている。例えば、特開２００３−２６５２１３号公報は、折畳んだベースシートに指による保持手段を提供する穴を備える技術が開示されている。
【先行技術文献】
【特許文献】
【０００３】
【特許文献１】特開２００３−２６５２１３号公報
【発明の概要】
【発明が解決しようとする課題】
【０００４】
ところで、上記従来のうちわは、広告面が４面に留まると言った問題があった。また、折畳んだベースシートの保持手段が折部に近く、該ベースシートの上部を、二枚に分離させて使用するため、使用中に風向が分散し期待する効果がないと言った問題があった。
【０００５】
そこで、本発明の目的は、広告面を、６面以上設けることができるうちわを提供することにある。また、折畳んだベースシートの上部が使用中に二枚に分離することが無いうちわを提供することにある。
【課題を解決するための手段】
【０００６】
上記課題を解決するため本発明のうちわは、ベースシート（１０）に、指による保持手段を提供する穴（１１）を備えるうちわ（１）において、前記ベースシート（１０）と綴じシート（２０）を綴じる綴じ部（２１）を備えて冊子（２）を構成することを特徴とする。
【発明の効果】
【０００７】
本発明によれば、うちわは、冊子を構成するため、広告面を、６面以上設けることができる。また、指による保持手段を提供する穴が折部と反対側にあるため、折畳んだベースシートの上部が使用中に二枚に分離することが無い。
【図面の簡単な説明】
【０００８】
【図１】実施形態の冊子うちわの構成図の一例である。
【発明を実施するための形態】
【０００９】
以下、本発明の実施の一形態について詳細に説明する。
【００１０】
図１は、実施形態の冊子うちわの構成図の一例である。
【００１１】
また、ベースシート１０を、（ａ）折畳んだ状態と、（ｂ）開いた状態を図示している。
【００１２】
図１の（ａ）は、ベースシート１０の上部に折部と、下部に指による保持手段を提供する係止穴１１を備えるうちわ１を構成する。
【００１３】
図１の（ｂ）は、ベースシート１０と、１枚又は複数枚の中綴じシート２０を重ねてステッチ（針金）などで綴じ、折部を構成する中綴じ部２１を備えて中綴じ冊子２を構成する。
【００１４】
うちわ１は、ベースシート１０の表紙面に選挙立候補者などの顔写真や似顔絵を印刷し、両眼の夫々に、ベースシート１０と、中綴じシート２０を貫通する眼穴を設け、お面を構成してもよい。
【００１５】
中綴じ冊子２は、ベースシート１０と、中綴じシート２０の全ての面に宣伝、説明文、文章などを印刷し、ベースシート１０の表紙面に選挙立候補者の写真や絵を印刷し、証紙を貼り付けた選挙配布物などの広告媒体などを構成してもよい。
【００１６】
また、中綴じシート２０を、係止穴１１を備えてベースシート１０と同じ形状としてもよい。また、スクラム製本、二つ折り、巻三つ折り、Ｚ折りなどのリーフレットに、中綴じ部２１を無線綴じ、コイル綴じなどに変更してもよい。
【００１７】
１…うちわ，２…中綴じ冊子，１０…ベースシート，１１…係止穴，２０…中綴じシート，２１…中綴じ部
【図１】
2017086723.tif 000003
【手続補正書】
【提出日】平成27年11月15日(2015.11.15)
【手続補正１】
【補正対象書類名】特許請求の範囲
【補正対象項目名】請求項２
【補正方法】変更
【補正の内容】
【請求項２】
ベースシート（１０）に、指による保持手段を提供する穴（１１）を備えるうちわ（１）において、
巻三つ折り又はＺ折りのリーフレットを構成することを特徴とするうちわ（１）。
【手続補正書】
【提出日】平成27年11月15日(2015.11.15)
【手続補正１】
【補正対象書類名】特許請求の範囲
【補正対象項目名】請求項２
【補正方法】変更
【補正の内容】
【請求項２】
シート（１０）に、指による保持手段を提供する穴（１１）を備えるうちわ（１）において、
複数の折り（巻三つ折り又はＺ折り）を備えるリーフレットを構成することを特徴とするうちわ（１）。
【手続補正書】
【提出日】平成27年11月15日(2015.11.15)
【手続補正２】
【補正対象書類名】特許請求の範囲
【補正対象項目名】請求項１
【補正方法】変更
【補正の内容】
【請求項１】
ベースシート（１０）に、指による保持手段を提供する穴（１１）を備えるうちわ（１）において、
前記ベースシート（１０）と綴じシート（２０）を綴じるステッチ綴じ、無線綴じ、コイル綴じの何れかの綴じ部（２１）を備えて冊子（２）を構成することを特徴とするうちわ（１）。
【手続補正３】
【補正対象書類名】明細書
【補正対象項目名】０００６
【補正方法】変更
【補正の内容】
【０００６】
上記課題を解決するため本発明のうちわは、ベースシート（１０）に、指による保持手段を提供する穴（１１）を備えるうちわ（１）において、前記ベースシート（１０）と綴じシート（２０）を綴じるステッチ綴じ、無線綴じ、コイル綴じの何れかの綴じ部（２１）を備えて冊子（２）を構成することを特徴とする。
【手続補正書】
【提出日】平成27年11月15日(2015.11.15)
【手続補正１】
【補正対象書類名】特許請求の範囲
【補正対象項目名】請求項２
【補正方法】変更
【補正の内容】
【請求項２】
折畳んだシート（１０）に、指による保持手段を提供する穴（１１）を備えるうちわ（１）において、
スクラム製本を構成する又は複数の折り部を備えるリーフレットを構成することを特徴とするうちわ（１）。
【手続補正書】
【提出日】平成27年11月16日(2015.11.16)
【手続補正２】
【補正対象書類名】特許請求の範囲
【補正対象項目名】全文
【補正方法】変更
【補正の内容】
【特許請求の範囲】
【請求項１】
うちわシート（１０）と、保持手段（１１）を備えるうちわ（１）において、
前記うちわシート（１０）と綴じシート（２０）を綴じるステッチ綴じ、無線綴じ、コイル綴じの何れかの綴じ部（２１）を備えて冊子（２）を構成することを特徴とするうちわ（１）。
【請求項２】
折畳んだシート（１０）に、うちわ保持手段（１１）を備えるうちわ（１）において、
前記うちわ保持手段（１１）を備えてスクラム製本を構成する、或いは、
前記うちわ保持手段（１１）と、複数の折部を備えてリーフレットを構成することを特徴とするうちわ（１）。
【手続補正４】
【補正対象書類名】明細書
【補正対象項目名】０００１
【補正方法】変更
【補正の内容】
【０００１】
本発明は、冊子うちわ、リーフレットうちわに関する。
【手続補正５】
【補正対象書類名】明細書
【補正対象項目名】０００４
【補正方法】変更
【補正の内容】
【０００４】
ところで、上記従来のうちわは、広告面が４面に留まると言った問題があった。
【手続補正６】
【補正対象書類名】明細書
【補正対象項目名】０００５
【補正方法】変更
【補正の内容】
【０００５】
そこで、本発明の目的は、広告面を、６面以上設けることができるうちわを提供することにある。
【手続補正７】
【補正対象書類名】明細書
【補正対象項目名】０００６
【補正方法】変更
【補正の内容】
【０００６】
上記課題を解決するため本発明のうちわは、うちわシート（１０）と、保持手段（１１）を備えるうちわ（１）において、前記うちわシート（１０）と綴じシート（２０）を綴じるステッチ綴じ、無線綴じ、コイル綴じの何れかの綴じ部（２１）を備えて冊子（２）を構成することを特徴とする。
【手続補正８】
【補正対象書類名】明細書
【補正対象項目名】０００７
【補正方法】変更
【補正の内容】
【０００７】
本発明によれば、うちわは、広告面を、６面以上設けることができる。